(57)【要約】      （修正有）【課題】アナログ方式で音響情報が記録されており、読み出し方式もアナログであるにもかかわらず、光記録媒体であって、読み出しの際には非接触方式であり、記録面が透明樹脂層で保護されていて取扱いが簡便な光記録媒体、及びその読出装置を提供する。【解決手段】保護層１１、反射層１２、基盤層１３からなり、４５°−４５°方式の記録用溝Ｔ１の左右に色彩の濃淡に変換されて記録された左右のアナログ音響情報を、自然光Ｎ２１，Ｎ２２を照射することによって読み出し装置２により読み出し、光電センサ２４，２５でアナログ電気信号に変換し出力する。【選択図】図１
0003173026.tif 000002
【実用新案登録請求の範囲】
【請求項１】
上部の保護層と下部の基盤層と保護層と基盤層との間に挟まれた反射層からなり、保護層と基盤層は合成樹脂製あるいはガラス製であり、基盤層は透明であり、反射層は金属薄膜製であり、保護層の下面に断面視での両方の側壁のなす角度の正弦が１であり、上端に側壁となす角度が４５°のトラッキングエラー検出帯が形成されるようにまた底面視が全体として螺旋状になるように刻設された記録用溝を有し、該記録用溝の片側の側壁の一部には反射率の低い不透明皮膜からなる右チャンネル記録帯が塗布され、上記記録用溝のもう一方の側の側壁の一部には反射率の低い不透明皮膜からなる左チャンネル記録帯が塗布され、右チャンネル記録帯と左チャンネル記録帯は高さ方向におけるその位置が重ならないように配設され、記録用溝の上端に形成されている上記トラッキングエラー検出帯の底面視における幅が右チャンネル記録帯及び左チャンネル記録帯の底面視における幅よりも狭く構成され、右チャンネル記録帯及び左チャンネル記録帯を構成する反射率の低い不透明皮膜が記録用溝の螺旋状の線方向に沿って、右チャンネル記録帯の不透明皮膜の濃度が右チャンネルの音響情報に同調して連続的に変化し、左チャンネル記録帯の不透明皮膜の濃度が左チャンネルの音響情報に同調して連続的に変化するように構成されていることを特徴とする光記録媒体。
【請求項２】
請求項１に記載の光記録媒体の右チャンネル記録帯に照射される自然光の自然光光源と請求項１に記載の光記録媒体の左チャンネル記録帯に照射される自然光の自然光光源と請求項１に記載の光記録媒体のトラッキングエラー検出帯に照射されるレーザー光のレーザー光源を有し、請求項１に記載の光記録媒体の右チャンネル記録帯に照射された自然光の反射光を受光して光情報を電気信号に変換する光電センサと請求項１に記載の光記録媒体の左チャンネル記録帯に照射された自然光の反射光を受光して光情報を電気信号に変換する光電センサと請求項１に記載の光記録媒体のトラッキングエラー検出帯に照射されるレーザー光の反射光を受光して光軸の方向を変換させるビームスプリッタと該ビームスプリッタによって変換されたレーザー光の反射光を受光して光情報を電気信号に変換する光電センサを有することを特徴とする請求項１に記載の光記録媒体の音響情報を読み出すための読出装置。
【請求項３】
上部の保護層と下部の基盤層と保護層と基盤層との間に挟まれた反射層からなり、保護層と基盤層は合成樹脂製あるいはガラス製であり、基盤層は透明であり、反射層は金属薄膜製であり、保護層の下面に断面視での両方の側壁のなす角度の正弦が１であり、上端にディジタル音響記録帯が形成されるようにまた底面視が全体として螺旋状になるように刻設された記録用溝を有し、該記録用溝の片側の側壁の一部には反射率の低い不透明皮膜からなる右チャンネル記録帯が塗布され、上記記録用溝のもう一方の側の側壁の一部には反射率の低い不透明皮膜からなる左チャンネル記録帯が塗布され、右チャンネル記録帯と左チャンネル記録帯は高さ方向におけるその位置が重ならないように配設され、ディジタル音響記録帯には記録用溝の側壁となす角度が４５°のランドとランドから下方に突出された凸部であるピットが形成され、ピットの底面視における幅が右チャンネル記録帯及び左チャンネル記録帯の底面視における幅よりも狭く構成され、右チャンネル記録帯及び左チャンネル記録帯を構成する反射率の低い不透明皮膜が記録用溝の螺旋状の線方向に沿って、右チャンネル記録帯の不透明皮膜の濃度が右チャンネルの音響情報に同調して連続的に変化し、左チャンネル記録帯の不透明皮膜の濃度が左チャンネルの音響情報に同調して連続的に変化するように構成されていることを特徴とする光記録媒体。
【請求項４】
請求項３に記載の光記録媒体の右チャンネル記録帯に照射される自然光の自然光光源と請求項３に記載の光記録媒体の左チャンネル記録帯に照射される自然光の自然光光源と請求項３に記載の光記録媒体のディジタル音響記録帯に照射されるレーザー光のレーザー光源を有し、請求項３に記載の光記録媒体の右チャンネル記録帯に照射された自然光の反射光を受光して光情報を電気信号に変換する光電センサと請求項３に記載の光記録媒体の左チャンネル記録帯に照射された自然光の反射光を受光して光情報を電気信号に変換する光電センサと請求項３に記載の光記録媒体のディジタル音響記録帯に照射されるレーザー光の反射光を受光して光軸の方向を変換させるビームスプリッタと該ビームスプリッタによって変換されたレーザー光の反射光を受光して光情報を電気信号に変換する光電センサを有することを特徴とする請求項３に記載の光記録媒体の音響情報を読み出すための読出装置。
【請求項５】
上部の保護層と下部の基盤層と保護層と基盤層との間に挟まれた反射層からなり、保護層と基盤層は合成樹脂製あるいはガラス製であり、基盤層は透明であり、反射層は金属薄膜製であり、反射層の下面には音響記録帯が設けられており、該音響記録帯は底面視が全体として螺旋状になるように配設され、該音響記録帯は右チャンネル記録帯と左チャンネル記録帯とトラッキングエラー検出帯から構成され、右チャンネル記録帯は反射層の下面に反射率の低い不透明皮膜を塗布したものであって該不透明皮膜の濃度が音響記録帯の線方向に沿って右チャンネルの音響情報に同調して連続的に変化するように構成され、左チャンネル記録帯も反射層の下面に反射率の低い不透明皮膜を塗布したものであって該不透明皮膜の濃度が音響記録帯の線方向に沿って左チャンネルの音響情報に同調して連続的に変化するように構成され、トラッキングエラー検出帯は反射層の一部が凸部として下に凸に突設された構成であり、あるいは保護層の一部が凸部として下に凸に突設されそこに反射層が塗布された構成であり、該トラッキングエラー検出帯の底面視における幅が右チャンネル記録帯及び左チャンネル記録帯の底面視における幅よりも狭く構成されていることを特徴とする光記録媒体。
【請求項６】
請求項５に記載の光記録媒体の右チャンネル記録帯に照射される自然光の自然光光源と請求項５に記載の光記録媒体の左チャンネル記録帯に照射される自然光の自然光光源と請求項５に記載の光記録媒体のトラッキングエラー検出帯に照射されるレーザー光のレーザー光源を有し、請求項５に記載の光記録媒体の右チャンネル記録帯に照射された自然光の反射光を受光して光軸の方向を変換させるビームスプリッタと該ビームスプリッタによって変換された自然光の反射光を受光して光情報を電気信号に変換する光電センサと請求項５に記載の光記録媒体の左チャンネル記録帯に照射された自然光の反射光を受光して光軸の方向を変換させるビームスプリッタと該ビームスプリッタによって変換された自然光の反射光を受光して光情報を電気信号に変換する光電センサと請求項５に記載の光記録媒体のトラッキングエラー検出帯に照射されるレーザー光の反射光を受光して光軸の方向を変換させるビームスプリッタと該ビームスプリッタによって変換されたレーザー光の反射光を受光して光情報を電気信号に変換する光電センサを有することを特徴とする請求項５に記載の光記録媒体の音響情報を読み出すための読出装置。
【請求項７】
上部の保護層と下部の基盤層と保護層と基盤層との間に挟まれた反射層からなり、保護層と基盤層は合成樹脂製あるいはガラス製であり、基盤層は透明であり、反射層は金属薄膜製であり、反射層の下面には音響記録帯が設けられており、該音響記録帯は底面視が全体として螺旋状になるように配設され、該音響記録帯は右チャンネル記録帯と左チャンネル記録帯とディジタル音響記録帯から構成され、右チャンネル記録帯は反射層の下面に反射率の低い不透明皮膜を塗布したものであって該不透明皮膜の濃度が音響記録帯の線方向に沿って右チャンネルの音響情報に同調して連続的に変化するように構成され、左チャンネル記録帯も反射層の下面に反射率の低い不透明皮膜を塗布したものであって該不透明皮膜の濃度が音響記録帯の線方向に沿って左チャンネルの音響情報に同調して連続的に変化するように構成され、ディジタル音響記録帯は反射層の下面をランドとし、ランドの一部がピットとして下方に凸に突設された構成であり、該ディジタル音響記録帯のピットの底面視における幅が右チャンネル記録帯及び左チャンネル記録帯の底面視における幅よりも狭く構成されていることを特徴とする光記録媒体。
【請求項８】
請求項７に記載の光記録媒体の右チャンネル記録帯に照射される自然光の自然光光源と請求項７に記載の光記録媒体の左チャンネル記録帯に照射される自然光の自然光光源と請求項７に記載の光記録媒体のディジタル音響記録帯に照射されるレーザー光のレーザー光源を有し、請求項７に記載の光記録媒体の右チャンネル記録帯に照射された自然光の反射光を受光して光軸の方向を変換させるビームスプリッタと該ビームスプリッタによって変換された自然光の反射光を受光して光情報を電気信号に変換する光電センサと請求項７に記載の光記録媒体の左チャンネル記録帯に照射された自然光の反射光を受光して光軸の方向を変換させるビームスプリッタと該ビームスプリッタによって変換された自然光の反射光を受光して光情報を電気信号に変換する光電センサと請求項７に記載の光記録媒体のディジタル音響記録帯に照射されるレーザー光の反射光を受光して光軸の方向を変換させるビームスプリッタと該ビームスプリッタによって変換されたレーザー光の反射光を受光して光情報を電気信号に変換する光電センサを有することを特徴とする請求項７に記載の光記録媒体の音響情報を読み出すための読出装置。
【考案の詳細な説明】
【技術分野】
【０００１】
本考案は、アナログの音響情報をアナログの状態で記録できる光記録媒体、及び該光記録媒体に記録された音響情報をアナログの状態で読み出すことのできる読出装置に関するものであり、さらに詳しくは、以下の構成の光記録媒体及び読出装置に関するものである。
＜構成１＞
上部の保護層と下部の基盤層と保護層と基盤層との間に挟まれた反射層からなり、保護層と基盤層は合成樹脂製あるいはガラス製であり、基盤層は透明であり、反射層は金属薄膜製であり、保護層の下面に断面視での両方の側壁のなす角度の正弦が１であり、上端に側壁となす角度が４５°のトラッキングエラー検出帯が形成されるようにまた底面視が全体として螺旋状になるように刻設された記録用溝を有し、該記録用溝の片側の側壁の一部には反射率の低い不透明皮膜からなる右チャンネル記録帯が塗布され、上記記録用溝のもう一方の側の側壁の一部には反射率の低い不透明皮膜からなる左チャンネル記録帯が塗布され、右チャンネル記録帯と左チャンネル記録帯は高さ方向におけるその位置が重ならないように配設され、記録用溝の上端に形成されている上記トラッキングエラー検出帯の底面視における幅が右チャンネル記録帯及び左チャンネル記録帯の底面視における幅よりも狭く構成され、右チャンネル記録帯及び左チャンネル記録帯を構成する反射率の低い不透明皮膜が記録用溝の螺旋状の線方向に沿って、右チャンネル記録帯の不透明皮膜の濃度が右チャンネルの音響情報に同調して連続的に変化し、左チャンネル記録帯の不透明皮膜の濃度が左チャンネルの音響情報に同調して連続的に変化するように構成されていることを特徴とする光記録媒体。
＜構成２＞
構成１に記載の光記録媒体の右チャンネル記録帯に照射される自然光の自然光光源と構成１に記載の光記録媒体の左チャンネル記録帯に照射される自然光の自然光光源と構成１に記載の光記録媒体のトラッキングエラー検出帯に照射されるレーザー光のレーザー光源を有し、構成１に記載の光記録媒体の右チャンネル記録帯に照射された自然光の反射光を受光して光情報を電気信号に変換する光電センサと構成１に記載の光記録媒体の左チャンネル記録帯に照射された自然光の反射光を受光して光情報を電気信号に変換する光電センサと構成１に記載の光記録媒体のトラッキングエラー検出帯に照射されるレーザー光の反射光を受光して光軸の方向を変換させるビームスプリッタと該ビームスプリッタによって変換されたレーザー光の反射光を受光して光情報を電気信号に変換する光電センサを有することを特徴とする構成１に記載の光記録媒体の音響情報を読み出すための読出装置。
＜構成３＞
上部の保護層と下部の基盤層と保護層と基盤層との間に挟まれた反射層からなり、保護層と基盤層は合成樹脂製あるいはガラス製であり、基盤層は透明であり、反射層は金属薄膜製であり、保護層の下面に断面視での両方の側壁のなす角度の正弦が１であり、上端にディジタル音響記録帯が形成されるようにまた底面視が全体として螺旋状になるように刻設された記録用溝を有し、該記録用溝の片側の側壁の一部には反射率の低い不透明皮膜からなる右チャンネル記録帯が塗布され、上記記録用溝のもう一方の側の側壁の一部には反射率の低い不透明皮膜からなる左チャンネル記録帯が塗布され、右チャンネル記録帯と左チャンネル記録帯は高さ方向におけるその位置が重ならないように配設され、ディジタル音響記録帯には記録用溝の側壁となす角度が４５°のランドとランドから下方に突出された凸部であるピットが形成され、ピットの底面視における幅が右チャンネル記録帯及び左チャンネル記録帯の底面視における幅よりも狭く構成され、右チャンネル記録帯及び左チャンネル記録帯を構成する反射率の低い不透明皮膜が記録用溝の螺旋状の線方向に沿って、右チャンネル記録帯の不透明皮膜の濃度が右チャンネルの音響情報に同調して連続的に変化し、左チャンネル記録帯の不透明皮膜の濃度が左チャンネルの音響情報に同調して連続的に変化するように構成されていることを特徴とする光記録媒体。
＜構成４＞
構成３に記載の光記録媒体の右チャンネル記録帯に照射される自然光の自然光光源と構成３に記載の光記録媒体の左チャンネル記録帯に照射される自然光の自然光光源と構成３に記載の光記録媒体のディジタル音響記録帯に照射されるレーザー光のレーザー光源を有し、構成３に記載の光記録媒体の右チャンネル記録帯に照射された自然光の反射光を受光して光情報を電気信号に変換する光電センサと構成３に記載の光記録媒体の左チャンネル記録帯に照射された自然光の反射光を受光して光情報を電気信号に変換する光電センサと構成３に記載の光記録媒体のディジタル音響記録帯に照射されるレーザー光の反射光を受光して光軸の方向を変換させるビームスプリッタと該ビームスプリッタによって変換されたレーザー光の反射光を受光して光情報を電気信号に変換する光電センサを有することを特徴とする構成３に記載の光記録媒体の音響情報を読み出すための読出装置。
＜構成５＞
上部の保護層と下部の基盤層と保護層と基盤層との間に挟まれた反射層からなり、保護層と基盤層は合成樹脂製あるいはガラス製であり、基盤層は透明であり、反射層は金属薄膜製であり、反射層の下面には音響記録帯が設けられており、該音響記録帯は底面視が全体として螺旋状になるように配設され、該音響記録帯は右チャンネル記録帯と左チャンネル記録帯とトラッキングエラー検出帯から構成され、右チャンネル記録帯は反射層の下面に反射率の低い不透明皮膜を塗布したものであって該不透明皮膜の濃度が音響記録帯の線方向に沿って右チャンネルの音響情報に同調して連続的に変化するように構成され、左チャンネル記録帯も反射層の下面に反射率の低い不透明皮膜を塗布したものであって該不透明皮膜の濃度が音響記録帯の線方向に沿って左チャンネルの音響情報に同調して連続的に変化するように構成され、トラッキングエラー検出帯は反射層の一部が凸部として下に凸に突設された構成であり、あるいは保護層の一部が凸部として下に凸に突設されそこに反射層が塗布された構成であり、該トラッキングエラー検出帯の底面視における幅が右チャンネル記録帯及び左チャンネル記録帯の底面視における幅よりも狭く構成されていることを特徴とする光記録媒体。
＜構成６＞  
構成５に記載の光記録媒体の右チャンネル記録帯に照射される自然光の自然光光源と構成５に記載の光記録媒体の左チャンネル記録帯に照射される自然光の自然光光源と構成５に記載の光記録媒体のトラッキングエラー検出帯に照射されるレーザー光のレーザー光源を有し、構成５に記載の光記録媒体の右チャンネル記録帯に照射された自然光の反射光を受光して光軸の方向を変換させるビームスプリッタと該ビームスプリッタによって変換された自然光の反射光を受光して光情報を電気信号に変換する光電センサと構成５に記載の光記録媒体の左チャンネル記録帯に照射された自然光の反射光を受光して光軸の方向を変換させるビームスプリッタと該ビームスプリッタによって変換された自然光の反射光を受光して光情報を電気信号に変換する光電センサと構成５に記載の光記録媒体のトラッキングエラー検出帯に照射されるレーザー光の反射光を受光して光軸の方向を変換させるビームスプリッタと該ビームスプリッタによって変換されたレーザー光の反射光を受光して光情報を電気信号に変換する光電センサを有することを特徴とする構成５に記載の光記録媒体の音響情報を読み出すための読出装置。
＜構成７＞
上部の保護層と下部の基盤層と保護層と基盤層との間に挟まれた反射層からなり、保護層と基盤層は合成樹脂製あるいはガラス製であり、基盤層は透明であり、反射層は金属薄膜製であり、反射層の下面には音響記録帯が設けられており、該音響記録帯は底面視が全体として螺旋状になるように配設され、該音響記録帯は右チャンネル記録帯と左チャンネル記録帯とディジタル音響記録帯から構成され、右チャンネル記録帯は反射層の下面に反射率の低い不透明皮膜を塗布したものであって該不透明皮膜の濃度が音響記録帯の線方向に沿って右チャンネルの音響情報に同調して連続的に変化するように構成され、左チャンネル記録帯も反射層の下面に反射率の低い不透明皮膜を塗布したものであって該不透明皮膜の濃度が音響記録帯の線方向に沿って左チャンネルの音響情報に同調して連続的に変化するように構成され、ディジタル音響記録帯は反射層の下面をランドとし、ランドの一部がピットとして下方に凸に突設された構成であり、該ディジタル音響記録帯のピットの底面視における幅が右チャンネル記録帯及び左チャンネル記録帯の底面視における幅よりも狭く構成されていることを特徴とする光記録媒体。
＜構成８＞
構成７に記載の光記録媒体の右チャンネル記録帯に照射される自然光の自然光光源と構成７に記載の光記録媒体の左チャンネル記録帯に照射される自然光の自然光光源と構成７に記載の光記録媒体のディジタル音響記録帯に照射されるレーザー光のレーザー光源を有し、構成７に記載の光記録媒体の右チャンネル記録帯に照射された自然光の反射光を受光して光軸の方向を変換させるビームスプリッタと該ビームスプリッタによって変換された自然光の反射光を受光して光情報を電気信号に変換する光電センサと構成７に記載の光記録媒体の左チャンネル記録帯に照射された自然光の反射光を受光して光軸の方向を変換させるビームスプリッタと該ビームスプリッタによって変換された自然光の反射光を受光して光情報を電気信号に変換する光電センサと構成７に記載の光記録媒体のディジタル音響記録帯に照射されるレーザー光の反射光を受光して光軸の方向を変換させるビームスプリッタと該ビームスプリッタによって変換されたレーザー光の反射光を受光して光情報を電気信号に変換する光電センサを有することを特徴とする構成７に記載の光記録媒体の音響情報を読み出すための読出装置。
【背景技術】
【０００２】
光記録媒体にはさまざまな種類のものがある。コンパクトディスク（CD）、ミニディスク（MD）、DVDディスク、ブルーレイディスクなどがこの範疇に入り、いずれもその規格が異なり、情報の記録方式や読出し方式も夫々に異なっている。しかしながら、レーザー光を盤面に照射して反射光を読み出し、それを光電センサで電気信号に変えて出力する点、光信号をディジタル方式にて読み出す点、そして、読み出しの際に盤面に直接力学的な接触を持たない非接触方式である点は、いずれも共通した特徴となっている。
【０００３】
これらのうち、コンパクトディスクに音楽（音響）情報を記録して、それをディジタル方式で読み出す方法については、音質の点で問題視する意見が以前から存在した。すなわち、一般的にはコンパクトディスクにディジタル方式で記録された情報をディジタル方式で読み出すのであるからそこに情報の劣化は生じないはずであるという通念が存するが、実はそれが誤りであるというものである。
【０００４】
そのような意見においては、「情報の劣化」は、まず記録の際に生じるとされる。すなわち、音響情報は元々空気の振動であるのでそれはアナログな性質を有しているが、それをディジタル化して記録する際に、どうしても切り捨てられたり変形を蒙ったりする部分があるのではないかという指摘である。また、ディジタル化して記録する際には可聴周波数帯域以外の音響情報は捨象されるが、耳には聞こえないとされている波形が、実際の聴覚に対してはなんらかの影響を与えている可能性もあるので、その部分の情報が欠落しているコンパクトディスクの音響情報はやはり元々の音響波形と微妙に違うのではないかという意見もある。
【０００５】
このような指摘や意見は、コンパクトディスクが市場に出回りはじめた頃にはかなり強かったようである。それは、LPレコードの愛聴を中心とする所謂「オーディオマニア」から多く聞かれた。しかしながら、時の経過とともにそのような声は次第に少なくなったようである。実際にLPレコードとコンパクトディスクを聴き比べてみると、特に「オーディオマニア」を自負する人以外には甲乙つけがたく、コンパクトディスクの方が音質が良いという意見も多くあがった。また、コンパクトディスクは非接触方式なので、再生の度に確実に音響溝が劣化するLPレコードの欠点を有さず、さらには指で触ったりしても樹脂層で保護されているので拭き取れば問題なく再生できるという取扱いの利便性も有利に働いて、いつのまにかレコード店の店頭からLPレコードの姿は消えてしまった。しかし現在でも、記録方式がディジタルゆえの前述の欠点を指摘する声がなお存するのも事実であり、中古レコード店ではLPレコードの販売枚数もまだまだ多いどころか、以前より増加傾向にあるのが現状である。
【０００６】
以上は記録方式がディジタルであるがゆえに指摘される点であるが、さらには読出し方式がディジタルであるがゆえの欠点を指摘する声もある。すなわち、コンパクトディスクに記録されている音響情報は光電センサによって電気信号に変換されてアンプに出力されるわけであるが、この際にディスクに記録されたディジタル情報が100％読み出されるかといえば、そうではない。情報の読み出しには必ず欠落が生じるので、装置の性能によってはかなりの部分の情報が欠落したままで再生されるという見方である。
【０００７】
周知のように、コンパクトディスクに記録されるのは音響情報だけではなく、文字情報、画像情報といった別形態の情報も記録され得る。ディスク側においては、こういった情報の種別は存せず、ただ読み出す側において区別をつけているだけである。しかしながら、たとえば文字情報などの場合には、読み出しの際に情報が欠落するとそれは直ちに文字情報に欠落部分が生じたり順序が狂ったりという形で反映されてしまうので、コンピュータの側において欠落した情報が完全に補完されて元の姿になるまで何度でも読み出しが行われる。したがって、コンパクトディスクの内容をコンピュータのハードディスクにコピーする場合などでは、ディスクに記録されていた情報は、原理的にはすべて完全にコピーされることになる。
【０００８】
しかるに、通常のコンパクトディスクプレーヤーとアンプ、スピーカのシステムで音楽を再生する場合には、コンパクトディスクプレーヤーにはコンピュータのような完璧な情報補完システムは準備されていないので、最低限の情報補完のみで音楽を再生することとなる。すなわち、コンパクトディスクプレーヤーでの音楽再生はタイムラグなしに行われるのが原則であるので、徹底的な情報補完をする時間的余裕がないということである。これに対し、LPレコードではリアルタイムで音溝をトレースした情報がアナログ方式でそのまま読み出されるので情報の欠落が原理的に生じず、したがって、コンパクトディスクプレーヤーで再生される音楽より音質は良いはずであるという意見である。
【０００９】
音楽の音質というものは、再生装置のグレードや組合せによっても大きく異なり、また聴く人の主観も大きく左右する要素となるので、物理的な特性だけで決められるものではないのも事実であり、それがまた、昨今の「LPレコード人気」を支えているのも事実である。しかしながら、LPレコードが好きだという人も、視聴による音溝の潰れからくる音質の劣化、あるいは取扱いの難しさにはやはり悩まされており、この点においては、非接触方式で記録部分が樹脂層で保護されているコンパクトディスクの長所を認める人も多い。したがって、理想的にいうなら、非接触方式で記録部分が樹脂層で保護されていて、しかも記録も読み出しもアナログ方式のディスクがあれば、ＬＰレコードの好きな人には一番いいことになるが、そういう製品は、現在存在していない。
【００１０】
今回の出願にあたっては、光学的な記録方式でしかもアナログ方式である記録媒体を検索してみたが、類似の技術さえ発見できなかった。以下に掲げる特許文献１、２は通常のディジタルの記録方式のコンパクトディスクから、DJと呼ばれる専門技術を持った人々がアナログレコードを操作して生み出す特有の摩擦音を生成させる方法を扱ったものであって、アナログ方式に言及はされてはいるものの、光記録媒体にアナログ方式で記録し、読み出す技術内容を扱ったものではない。
【先行技術文献】
【特許文献】
【００１１】
【特許文献１】特開平１１−８６４４６号公報
【特許文献１】特開２００５−１０８３２０号公報
【考案の概要】
【考案が解決しようとする課題】
【００１２】
上記より、本考案が解決しようとする課題は、次のとおりとなる。
アナログ方式で音響情報が記録されており、読み出し方式もアナログであるにもかかわらず、光記録媒体であって、読み出しの際には非接触方式であり、記録面が透明樹脂層で保護されている光記録媒体、及びその読出装置を開発する。
【課題を解決するための手段】
【００１３】
本考案は、上記課題を解決するためになされたものであり、以下に示す解決手段を提供する。
＜解決手段１＞
上部の保護層と下部の基盤層と保護層と基盤層との間に挟まれた反射層からなり、保護層と基盤層は合成樹脂製あるいはガラス製であり、基盤層は透明であり、反射層は金属薄膜製であり、保護層の下面に断面視での両方の側壁のなす角度の正弦が１であり、上端に側壁となす角度が４５°のトラッキングエラー検出帯が形成されるようにまた底面視が全体として螺旋状になるように刻設された記録用溝を有し、該記録用溝の片側の側壁の一部には反射率の低い不透明皮膜からなる右チャンネル記録帯が塗布され、上記記録用溝のもう一方の側の側壁の一部には反射率の低い不透明皮膜からなる左チャンネル記録帯が塗布され、右チャンネル記録帯と左チャンネル記録帯は高さ方向におけるその位置が重ならないように配設され、記録用溝の上端に形成されている上記トラッキングエラー検出帯の底面視における幅が右チャンネル記録帯及び左チャンネル記録帯の底面視における幅よりも狭く構成され、右チャンネル記録帯及び左チャンネル記録帯を構成する反射率の低い不透明皮膜が記録用溝の螺旋状の線方向に沿って、右チャンネル記録帯の不透明皮膜の濃度が右チャンネルの音響情報に同調して連続的に変化し、左チャンネル記録帯の不透明皮膜の濃度が左チャンネルの音響情報に同調して連続的に変化するように構成されていることを特徴とする光記録媒体。
＜解決手段２＞
解決手段１に記載の光記録媒体の右チャンネル記録帯に照射される自然光の自然光光源と解決手段１に記載の光記録媒体の左チャンネル記録帯に照射される自然光の自然光光源と解決手段１に記載の光記録媒体のトラッキングエラー検出帯に照射されるレーザー光のレーザー光源を有し、解決手段１に記載の光記録媒体の右チャンネル記録帯に照射された自然光の反射光を受光して光情報を電気信号に変換する光電センサと解決手段１に記載の光記録媒体の左チャンネル記録帯に照射された自然光の反射光を受光して光情報を電気信号に変換する光電センサと解決手段１に記載の光記録媒体のトラッキングエラー検出帯に照射されるレーザー光の反射光を受光して光軸の方向を変換させるビームスプリッタと該ビームスプリッタによって変換されたレーザー光の反射光を受光して光情報を電気信号に変換する光電センサを有することを特徴とする解決手段１に記載の光記録媒体の音響情報を読み出すための読出装置。
＜解決手段３＞
上部の保護層と下部の基盤層と保護層と基盤層との間に挟まれた反射層からなり、保護層と基盤層は合成樹脂製あるいはガラス製であり、基盤層は透明であり、反射層は金属薄膜製であり、保護層の下面に断面視での両方の側壁のなす角度の正弦が１であり、上端にディジタル音響記録帯が形成されるようにまた底面視が全体として螺旋状になるように刻設された記録用溝を有し、該記録用溝の片側の側壁の一部には反射率の低い不透明皮膜からなる右チャンネル記録帯が塗布され、上記記録用溝のもう一方の側の側壁の一部には反射率の低い不透明皮膜からなる左チャンネル記録帯が塗布され、右チャンネル記録帯と左チャンネル記録帯は高さ方向におけるその位置が重ならないように配設され、ディジタル音響記録帯には記録用溝の側壁となす角度が４５°のランドとランドから下方に突出された凸部であるピットが形成され、ピットの底面視における幅が右チャンネル記録帯及び左チャンネル記録帯の底面視における幅よりも狭く構成され、右チャンネル記録帯及び左チャンネル記録帯を構成する反射率の低い不透明皮膜が記録用溝の螺旋状の線方向に沿って、右チャンネル記録帯の不透明皮膜の濃度が右チャンネルの音響情報に同調して連続的に変化し、左チャンネル記録帯の不透明皮膜の濃度が左チャンネルの音響情報に同調して連続的に変化するように構成されていることを特徴とする光記録媒体。
＜解決手段４＞
解決手段３に記載の光記録媒体の右チャンネル記録帯に照射される自然光の自然光光源と解決手段３に記載の光記録媒体の左チャンネル記録帯に照射される自然光の自然光光源と解決手段３に記載の光記録媒体のディジタル音響記録帯に照射されるレーザー光のレーザー光源を有し、解決手段３に記載の光記録媒体の右チャンネル記録帯に照射された自然光の反射光を受光して光情報を電気信号に変換する光電センサと解決手段３に記載の光記録媒体の左チャンネル記録帯に照射された自然光の反射光を受光して光情報を電気信号に変換する光電センサと解決手段３に記載の光記録媒体のディジタル音響記録帯に照射されるレーザー光の反射光を受光して光軸の方向を変換させるビームスプリッタと該ビームスプリッタによって変換されたレーザー光の反射光を受光して光情報を電気信号に変換する光電センサを有することを特徴とする解決手段３に記載の光記録媒体の音響情報を読み出すための読出装置。
＜解決手段５＞
上部の保護層と下部の基盤層と保護層と基盤層との間に挟まれた反射層からなり、保護層と基盤層は合成樹脂製あるいはガラス製であり、基盤層は透明であり、反射層は金属薄膜製であり、反射層の下面には音響記録帯が設けられており、該音響記録帯は底面視が全体として螺旋状になるように配設され、該音響記録帯は右チャンネル記録帯と左チャンネル記録帯とトラッキングエラー検出帯から構成され、右チャンネル記録帯は反射層の下面に反射率の低い不透明皮膜を塗布したものであって該不透明皮膜の濃度が音響記録帯の線方向に沿って右チャンネルの音響情報に同調して連続的に変化するように構成され、左チャンネル記録帯も反射層の下面に反射率の低い不透明皮膜を塗布したものであって該不透明皮膜の濃度が音響記録帯の線方向に沿って左チャンネルの音響情報に同調して連続的に変化するように構成され、トラッキングエラー検出帯は反射層の一部が凸部として下に凸に突設された構成であり、あるいは保護層の一部が凸部として下に凸に突設されそこに反射層が塗布された構成であり、該トラッキングエラー検出帯の底面視における幅が右チャンネル記録帯及び左チャンネル記録帯の底面視における幅よりも狭く構成されていることを特徴とする光記録媒体。
＜解決手段６＞  
解決手段５に記載の光記録媒体の右チャンネル記録帯に照射される自然光の自然光光源と解決手段５に記載の光記録媒体の左チャンネル記録帯に照射される自然光の自然光光源と解決手段５に記載の光記録媒体のトラッキングエラー検出帯に照射されるレーザー光のレーザー光源を有し、解決手段５に記載の光記録媒体の右チャンネル記録帯に照射された自然光の反射光を受光して光軸の方向を変換させるビームスプリッタと該ビームスプリッタによって変換された自然光の反射光を受光して光情報を電気信号に変換する光電センサと解決手段５に記載の光記録媒体の左チャンネル記録帯に照射された自然光の反射光を受光して光軸の方向を変換させるビームスプリッタと該ビームスプリッタによって変換された自然光の反射光を受光して光情報を電気信号に変換する光電センサと解決手段５に記載の光記録媒体のトラッキングエラー検出帯に照射されるレーザー光の反射光を受光して光軸の方向を変換させるビームスプリッタと該ビームスプリッタによって変換されたレーザー光の反射光を受光して光情報を電気信号に変換する光電センサを有することを特徴とする解決手段５に記載の光記録媒体の音響情報を読み出すための読出装置。
＜解決手段７＞
上部の保護層と下部の基盤層と保護層と基盤層との間に挟まれた反射層からなり、保護層と基盤層は合成樹脂製あるいはガラス製であり、基盤層は透明であり、反射層は金属薄膜製であり、反射層の下面には音響記録帯が設けられており、該音響記録帯は底面視が全体として螺旋状になるように配設され、該音響記録帯は右チャンネル記録帯と左チャンネル記録帯とディジタル音響記録帯から構成され、右チャンネル記録帯は反射層の下面に反射率の低い不透明皮膜を塗布したものであって該不透明皮膜の濃度が音響記録帯の線方向に沿って右チャンネルの音響情報に同調して連続的に変化するように構成され、左チャンネル記録帯も反射層の下面に反射率の低い不透明皮膜を塗布したものであって該不透明皮膜の濃度が音響記録帯の線方向に沿って左チャンネルの音響情報に同調して連続的に変化するように構成され、ディジタル音響記録帯は反射層の下面をランドとし、ランドの一部がピットとして下方に凸に突設された構成であり、該ディジタル音響記録帯のピットの底面視における幅が右チャンネル記録帯及び左チャンネル記録帯の底面視における幅よりも狭く構成されていることを特徴とする光記録媒体。
＜解決手段８＞
解決手段７に記載の光記録媒体の右チャンネル記録帯に照射される自然光の自然光光源と解決手段７に記載の光記録媒体の左チャンネル記録帯に照射される自然光の自然光光源と解決手段７に記載の光記録媒体のディジタル音響記録帯に照射されるレーザー光のレーザー光源を有し、解決手段７に記載の光記録媒体の右チャンネル記録帯に照射された自然光の反射光を受光して光軸の方向を変換させるビームスプリッタと該ビームスプリッタによって変換された自然光の反射光を受光して光情報を電気信号に変換する光電センサと解決手段７に記載の光記録媒体の左チャンネル記録帯に照射された自然光の反射光を受光して光軸の方向を変換させるビームスプリッタと該ビームスプリッタによって変換された自然光の反射光を受光して光情報を電気信号に変換する光電センサと解決手段７に記載の光記録媒体のディジタル音響記録帯に照射されるレーザー光の反射光を受光して光軸の方向を変換させるビームスプリッタと該ビームスプリッタによって変換されたレーザー光の反射光を受光して光情報を電気信号に変換する光電センサを有することを特徴とする解決手段７に記載の光記録媒体の音響情報を読み出すための読出装置。
【考案の効果】
【００１４】
本考案の解決手段１〜８に記載の光記録媒体及び読出装置によれば、光記録媒体にアナログ情報が記録され、それをアナログ情報として読み出すことができるので、ディジタル方式の音響記録媒体に関して情報の欠落による音質の低下を心配する人に対しても、安心感を与えることができる。
【００１５】
本考案の解決手段１〜８に記載の光記録媒体及び読出装置によれば、記録方式も読み出し方式もアナログであるにもかかわらず、非接触方式であるのでLPレコードのように再生の度ごとに音質が劣化する心配もなく、また樹脂層で保護されているので、取扱いはコンパクトディスクとまったく同じ利便性と耐久性が実現される。
【００１６】
本考案の解決手段１〜４に記載の光記録媒体及び読出装置によれば、盤面にLPレコードと同じような溝が視認できるように構成することが可能なので、外見もLPレコードと同じような構成にでき、しかも非接触で保護のための樹脂層を有するので、劣化がなく取り扱いが便利なLPレコードに似た媒体を求める人の欲求にピタリと符号する製品を造ることができる。
【００１７】
本考案の解決手段１〜４に記載の光記録媒体及び読出装置によれば、記録用溝の片方の側壁に設けられた右チャンネル記録帯に照射された自然光は、右チャンネル記録帯で４５°に方向変換されて記録用溝のもう片方の側壁に反射し、さらにここで４５°に方向変換されて読出装置の光電センサに直接受光され、記録用溝のもう片方の側壁に設けられた左チャンネル記録帯に照射された自然光は、左チャンネル記録帯で４５°に方向変換されて記録用溝の片方の側壁に反射し、さらにここで４５°に方向変換されて読出装置の光電センサに直接受光されるので、右チャンネル記録帯からの光情報も、左チャンネル記録帯からの光情報もビームスプリッタを通過させる必要がないからビームスプリッタによる情報の劣化が発生することがない。
【００１８】
本考案の解決手段５、７に記載の光記録媒体によれば、保護層に記録用溝を刻設せず、フラットな反射層に直接音響記録帯を設けるので、記録用溝を刻設する場合に比較して音響記録帯の密度を増加させることが可能であり、結果として同一直径のディスクにより多くの情報を格納することが可能となる。
【００１９】
本考案の解決手段１、２、５、６に記載の光記録媒体及び読出装置によれば、読出装置のレーザー光源からのレーザー光を反射するトラッキングエラー検出帯を有しており、該トラッキングエラー検出帯の底面視における幅が、右チャンネル記録帯の底面視における幅及び左チャンネル記録帯の底面視における幅よりも狭く構成されているので、右チャンネル記録帯及び左チャンネル記録帯に照射される自然光が右チャンネル記録帯及び左チャンネル記録帯から外れてしまうことがない。
【００２０】
本考案の解決手段３、４、７、８に記載の光記録媒体及び読出装置によれば、アナログの音響情報を記録した右チャンネル記録帯及び左チャンネル記録帯を有すると同時にディジタルの音響情報を記録したディジタル音響記録帯も有しているので、アナログの音響情報の再生かディジタルの音響情報の再生を選択することができるし、両方の音響情報を同時に再生することも可能である。  
【図面の簡単な説明】
【００２１】
【図１】本考案の実施例１の光記録媒体の構成及び作用と実施例１の読出装置の構成及び作用を説明する説明図である。
【図２】（ａ）本考案の実施例１の光記録媒体の記録用溝の一部の底面視の構成を拡大した拡大説明図である。（ｂ）図２ａの要部を拡大した拡大説明図である。（ｃ）図１の記録用溝の右チャンネル記録帯の部分を拡大した拡大説明図である。
【図３】本考案の実施例２の光記録媒体の構成及び作用と実施例２の読出装置の構成及び作用を説明する説明図である。
【図４】本考案の実施例３の光記録媒体の構成及び作用と実施例３の読出装置の構成及び作用を説明する説明図である。
【図５】本考案の実施例４の光記録媒体の構成及び作用と実施例４の読出装置の構成及び作用を説明する説明図である。
【図６】本考案の実施例４の光記録媒体の記録用溝の一部の底面視の構成を拡大した拡大説明図である。
【図７】（ａ）本考案の実施例１の光記録媒体の１例を底面側から見た状態の一例を示す外観斜視図である。（ｂ）本考案の実施例１の光記録媒体の他の１例を、表面と底面をひっくり返して底面側から見た状態の別の一例を示す外観斜視図である。
【考案を実施するための形態】
【００２２】
本考案を実施するための形態を、図面を参照しながら詳細に説明する。
【実施例１】
【００２３】
＜実施例１の構成＞
本考案の実施例１の光記録媒体１は、図７ａの底面側から見た外観斜視図に示すように外見は通常のコンパクトディスク（図示せず）とほとんど変わるところはない。ただ、底面１Ａに後に詳しく述べる音響情報を記録した記録用溝Ｔ１が螺旋状に刻設されているのが底面側から視認されるので、その点が通常のコンパクトディスクとやや異なって見える程度である。なお、光記録媒体１のサイズは、通常のコンパクトディスクと同じサイズで作ることもできるし、あるいは通常のコンパクトディスクより大きくしたり小さくしたりするのも自由である。
【００２４】
実施例１の光記録媒体１は底面側に記録用溝Ｔ１を有しているので、この底面側を上にすれば、図７ｂに示すように、昔のＬＰレコード風のデザインも可能となる。すなわち、中心部分Ｃを広めに設けて、そこに昔のＬＰレコード風のレーベルＬＢをあしらったりという意匠も可能となる。また、底面１Ｂと裏面となる表面１Ａの両方に記録用溝Ｔ１を設ければ、昔のＬＰレコードのように「盤を裏返して」聴くという使用方法も可能となる。
【００２５】
実施例１の光記録媒体１の一部の縦断面構成を図１に示す。光記録媒体１は保護層１１、反射層１２、基盤層１３から構成されており、保護層１１が表面１Ｂ側に、基盤層１３が底面１Ａ側に位置する。反射層１２は保護層１１と基盤層１３の中間に挟まれた状態である。なお、光記録媒体１の厚さは、後述の記録用溝Ｔ１が刻設されることから、通常のコンパクトディスク（図示せず）より厚めの２５ｍｍ程度が適切であると考えられる。また、底面１Ｂと裏面となる表面１Ａの両方に記録用溝Ｔ１を設けた場合には、さらに厚い３０〜４０ｍｍ程度が適切と考えられる。
【００２６】
保護層１１と基盤層１３はポリカーボネイト等の合成樹脂製あるいはガラス製であり、基盤層１３は透明である。保護層１１は透明でも不透明でもよく、また保護層１１の上にさらにレーベルの印刷層（図示せず）を重ねても良い。
【００２７】
保護層１１の下面には、上に凸の状態にて、記録用溝Ｔ１が刻設されている。記録用溝Ｔ１は、右側壁Ｔ１Ｒ、左側壁Ｔ１Ｌが水平線から４５°傾斜した状態に構成され、右側壁Ｔ１Ｒ、左側壁Ｔ１Ｌが交わる部分は水平面であるトラッキングエラー検出帯１６となっている。右側壁Ｔ１Ｒと左側壁Ｔ１Ｌがなす角は９０°、つまり正弦が１である。
【００２８】
右側壁Ｔ１Ｒの反射層１２Ｒの基盤層１３側には反射率の低い不透明膜からなる右チャンネル記録帯１４が塗布され、左側壁Ｔ１Ｌの反射層１２Ｌの基盤層１３側には反射率の低い不透明膜からなる左チャンネル記録帯１５が塗布されている。右チャンネル記録帯１４と左チャンネル記録帯１５は、高さ方向におけるその位置が重ならないように配設されている。具体的には、実施例１においては、左チャンネル記録帯１５の方が右チャンネル記録帯１４より高い位置に塗布され、両者のいずれの部分も高さ方向において重なっていない。
【００２９】
図２ａには、図１の記録用帯Ｔ１を底面側から見た状態を示す。右チャンネル記録帯１４の不透明膜は、その濃度が、記録用溝Ｔ１の螺旋状の線方向Ａに沿って右チャンネルの音響情報に同調して連続的に変化し、左チャンネル記録帯１５の不透明膜は、その濃度が、記録用溝Ｔ１の螺旋状の線方向Ａに沿って左チャンネルの音響情報に同調して連続的に変化するように塗布されている。右チャンネル記録帯１４の不透明膜及び左チャンネル記録帯１５の不透明膜は、実施例１では黒色の合成樹脂塗料を用いている。
【００３０】
図１及び図２ａに見るように、トラッキングエラー検出帯１６の底面視の幅ｗ１６は、右チャンネル記録帯１４の底面視の幅ｗ１４及び左チャンネル記録帯１５の底面視の幅ｗ１５より狭く構成されている。
【００３１】
図１の下方には、読出装置２の構成を模式的に示す。２１、２２は夫々自然光Ｎ２１、Ｎ２２を上方に向けて照射する自然光光源であり、２３はレーザー光Ｒ２３を上方に向けて照射するレーザー光源である。レーザー光源２３の上方にはビームスプリッタＢ２３が置かれている。また、Ｌ２１は自然光光源２１から照射される自然光Ｎ１の光束を調整するレンズであり、Ｗ２１は射光窓である。Ｌ２２は自然光光源２２から照射される自然光Ｎ２２の光束を調整するレンズであり、Ｗ２２は射光窓である。Ｌ２３はレーザー光源２３から照射されるレーザー光Ｒ１の光束を調整するレンズであり、Ｗ２３は射光兼受光窓である。
【００３２】
２４は自然光Ｎ２１の反射光２１Ｒを受けて光の明度情報をアナログ方式で電気信号に変換する光電センサであり、Ｗ２４は反射光２１Ｒの受光窓である。２５は自然光Ｎ２２の反射光２２Ｒを受けて光の明度情報をアナログ方式で電気信号に変換する光電センサであり、Ｗ２５は反射光２２Ｒの受光窓である。２６はレーザー光Ｒ２３の反射光２３Ｒを受けて光のディジタル情報をディジタル方式で電気信号に変換する光電センサである。
【００３３】
＜実施例１の作用＞
図１に示すように、読出装置２の自然光光源２１から照射された自然光Ｎ２１はレンズＬ２１を通過し、射光窓Ｗ２１から光記録媒体１の記録用溝Ｔ１の右側壁Ｔ１Ｒに塗布された右チャンネル記録帯１４に照射される。右チャンネル記録帯１４には、記録用溝Ｔ１の線方向Ａ（図２ａ参照）に沿って右チャンネル音響情報が合成樹脂塗料の濃淡に変換されて記録されているので、自然光Ｎ２１はこの合成樹脂塗料の濃淡に倣った明暗の変化を有せしめられて且つ右チャンネル記録帯１４により水平方向に反射されて記録用溝Ｔ１の左側壁Ｔ１Ｌにてさらに反射され、自然光Ｎ２１とは方向が１８０°転換された反射光２１Ｒとなって下方に向かう。この際、自然光Ｎ２１が左側壁Ｔ１Ｌにて反射される部分は反射層１２Ｌになにも塗布されていないので、ここでは明度が殆ど落ちることなく反射される。
【００３４】
右チャンネル記録帯１４に記録された音響情報を明暗の情報として付帯させられ下方に向かった反射光２１Ｒは、受光窓Ｗ２４を通過して光電センサ２４に受光される。反射光２１Ｒに明暗の情報として付帯された音響情報は光電センサ２４にてアナログ電気信号Ｅ２４に変換され、読出装置２からアンプ（図示せず）へと出力される。したがって、光記録媒体１の記録用溝Ｔ１の右チャンネル記録帯１４に付帯されたアナログ音響情報は、最終的にアナログの電気信号Ｅ２４として出力されるということになる。
【００３５】
また、図１に示すように、読出装置２の自然光光源２２から照射された自然光２２はレンズＬ２２を通過し、射光窓Ｗ２２から光記録媒体１の記録用帯Ｔ１の左側壁Ｔ１Ｌに塗布された左チャンネル記録帯１５に照射される。左チャンネル記録帯１５には、記録用溝Ｔ１の線方向Ａ（図２ａ参照）に沿って左チャンネル音響情報が合成樹脂塗料の濃淡に変換されて記録されているので、自然光Ｎ２２はこの合成樹脂塗料の濃淡に倣った明暗の変化を有せしめられて且つ左チャンネル記録帯１５により水平方向に反射されて記録用溝Ｔ１の右側壁Ｔ１Ｒにてさらに反射され、自然光Ｎ２２とは方向が１８０°転換された反射光２２Ｒとなって下方に向かう。この際、自然光Ｎ２２が右側壁Ｔ１Ｒにて反射される部分は反射層１２Ｒになにも塗布されていないので、ここでは明度が殆ど落ちることなく反射される。
【００３６】
左チャンネル記録帯１５に記録された音響情報を明暗の情報として付帯させられ下方に向かった反射光２２Ｒは、受光窓Ｗ２５を通過して光電センサ２５に受光される。反射光２２Ｒに明暗の情報として付帯された音響情報は光電センサ２５にてアナログ電気信号Ｅ２５に変換され、読出装置２からアンプ（図示せず）へと出力される。したがって、光記録媒体１の記録用溝Ｔ１の左チャンネル記録帯１５に付帯されたアナログ音響情報は、最終的にアナログの電気信号Ｅ２５として出力されるということになる。
【００３７】
次に、図１に示すように、読出装置２のレーザー光源２３から照射されたレーザー光Ｒ２３はレンズＬ２３を通過し、射光兼受光窓Ｗ２３から光記録媒体１の記録用帯Ｔ１のトラッキングエラー検出帯１６に照射される。トラッキングエラー検出帯１６は何も塗布されていない水平面であるので、ここで１８０°方向に反射されたレーザー光Ｒ２３はそのまま反射光２３Ｒとなり、射光兼受光窓Ｗ２３、レンズＬ２３を通過し、ビームスプリッタＢ２３で方向を水平方向に変換されて光電センサ２６に受光される。光電センサ２６に受光されたディジタル光情報は、光電センサ２６にてディジタルの電気信号Ｅ２６に変換され、読出装置２の位置を制御するサーボモータ（図示せず）に出力される。
【００３８】
ここで、トラッキングエラー検出帯１６の底面視の幅ｗ１６の範囲内にレーザー光Ｒ２３が収まっている場合には、光電センサ２６から出力されるディジタル電気信号Ｅ２６は正常値を示す。しかるに、レーザー光Ｒ２３がトラッキングエラー検出帯１６の底面視の幅ｗ１６を外れた場合には、反射光２３Ｒが正しく光電センサ２６に受光されなくなり、電気信号Ｅ２６は異常値を示す。この電気信号Ｅ２６によってレーザー光Ｒ２３を幅ｗ１６の範囲内に戻すように読出装置２全体を移動させるサーボモータ（図示せず）が駆動される。
【００３９】
ここで、自然光光源２１、２２とレーザー光光源２３は一体として読出装置２内に格納されているので、自然光Ｎ２１、Ｎ２２、レーザー光Ｒ２３はすべて一体として動く。すなわち、自然光Ｎ２１、Ｎ２２、レーザー光Ｒ２３の水平方向のズレはすべて等しくなる。したがって、図２ａにてポイントで示す自然光Ｎ２１、Ｎ２２、レーザー光Ｒ２３はすべて横方向に同じ動きをする。
【００４０】
しかるに、トラッキングエラー検出帯１６の底面視の幅ｗ１６は右チャンネル記録帯１４の底面視の幅ｗ１４、左チャンネル記録帯１５の底面視の幅ｗ１５より狭く構成されているので、自然光Ｎ２１、Ｎ２２、レーザー光Ｒ２３が図２ａで横方向にずれると、まずレーザー光Ｒ２３が幅ｗ１６から外れる。このとき、まだ自然光Ｎ２１はｗ１４内に、自然光Ｎ２２はｗ１５内に留まっている。この時点で図１の反射光２３Ｒが光電センサ２６に正常に受光されなくなり、電気信号Ｅ２６が異常値を示し、図示しないサーボモータが駆動されて読出装置全体が横方向に動き、レーザー光Ｒ２３は幅ｗ１６の範囲内に戻される。したがって、自然光Ｎ２１、Ｎ２２は夫々ｗ１４、ｗ１５を外れる前にｗ１４、ｗ１５の中央方向に戻されるのでトラッキングエラーの発生が事前に防止される。
【００４１】
図２ａに示すように、右チャンネル記録帯１４においても左チャンネル記録帯１５においても、塗布された合成樹脂塗料は線方向Ａに対して直角の方向にすべて明度が揃うように塗布されている。したがって、自然光Ｎ２１がｗ１４の範囲内で図２ａの横方向に動く、あるいは自然光Ｎ２２がｗ１５の範囲内で図２ａの横方向に動く場合には、読み出される情報には全く変化は生じない。図２ｂ、図２ｃは右チャンネル記録帯１４の拡大図であるが、この図において自然光Ｎ２１がポイントＰ１に照射されてもポイントＰ２に照射されても読み出される光情報の明度は全く同じである。したがって、レーザー光Ｒ２３がトラッキングエラー検出帯１６の底面視の幅ｗ１６の範囲内に留まる限り、読み出される光情報に変化は生じない。この事情は自然光２２と左チャンネル記録帯１５の関係においても全く同様である。
【実施例２】
【００４２】
＜実施例２の構成＞
本考案の実施例２の光記録媒体３は、外見は図７ａに示す実施例１の光記録媒体１と略同様である。実施例２の光記録媒体３の一部の縦断面構成を図３に示す。光記録媒体３は保護層３１、反射層３２、基盤層３３から構成されており、保護層３１が表面３Ｂ側に、基盤層３３が底面３Ａ側に位置する。反射層３２は保護層３１と基盤層３３の中間に挟まれた状態である。各層の材質については実施例１の光記録媒体１と同様である。
【００４３】
保護層３１の下面には、上に凸の状態にて、記録用溝Ｔ３が刻設されている。記録用溝Ｔ３は、右側壁Ｔ３Ｒ、左側壁Ｔ３Ｌが水平線から４５°傾斜した状態に構成され、右側壁Ｔ３Ｒ、左側壁Ｔ３Ｌが交わる部分はディジタル音響記録帯３６として構成されている。右側壁Ｔ３Ｒと左側壁Ｔ３Ｌがなす角は９０°、つまり正弦が１である。光記録媒体３の厚さに関しては、実施例１の光記録媒体１と同様である。
【００４４】
右側壁Ｔ３Ｒの反射層３２Ｒの基盤層３３側には反射率の低い不透明膜からなる右チャンネル記録帯３４が塗布され、左側壁Ｔ３Ｌの反射層３２Ｌの基盤層３３側には反射率の低い不透明膜からなる左チャンネル記録帯３５が塗布されている。右チャンネル記録帯３４と左チャンネル記録帯３５は、高さ方向におけるその位置が重ならないように配設されている点は実施例１の右チャンネル記録帯１４、左チャンネル記録帯１５と同様である。
【００４５】
右チャンネル記録帯３４の不透明膜の濃度変化、左チャンネル記録帯３５の不透明膜の濃度変化の状態も実施例１の右チャンネル記録帯１４、左チャンネル記録帯１５と同様である。すなわち、右チャンネル記録帯３４には右チャンネルの音響情報のアナログ的変化が不透明膜の濃度変化として記録され、左チャンネル記録帯３４には左チャンネルの音響情報のアナログ的変化が不透明膜の濃度変化として記録されている。
【００４６】
ディジタル音響記録帯３６は水平面であるランドＬＤに底面が水平の凸部であるピットＰＴが突設されたもので、ここにはディジタル音響情報が記録されている。ランドＬＤとピットＰＴの構成は、通常のコンパクトディスクにおけるランドとピットの構成と全く同様であるので詳述しない。なおピットＰＴの底面視の幅ｗＰＴは、右チャンネル記録帯３４の底面視の幅ｗ３４、左チャンネル記録帯３５の底面視の幅ｗ３５より狭く構成されている。
【００４７】
図３の下方には、読出装置４の構成を模式的に示す。４１、４２は自然光を上方に向けて照射する自然光光源であり、４３はレーザー光線を上方に向けて照射するレーザー光源である。レーザー光源４３の上方にはビームスプリッタＢ４３が置かれている。また、Ｌ４１は自然光光源４１から照射される自然光Ｎ４１の光束を調整するレンズであり、Ｗ４１は射光窓である。Ｌ４２は自然光光源４２から照射される自然光Ｎ４２の光束を調整するレンズであり、Ｗ４２は射光窓である。Ｌ４３はレーザー光源４３から照射されるレーザー光Ｒ４３の光束を調整するレンズであり、Ｗ４３は射光兼受光窓である。
【００４８】
４４は自然光Ｎ４１の反射光４１Ｒを受けて光の明度情報をアナログ方式で電気信号に変換する光電センサであり、Ｗ４４は反射光４１Ｒの受光窓である。４５は自然光Ｎ４２の反射光４２Ｒを受けて光の明度情報をアナログ方式で電気信号に変換する光電センサであり、Ｗ４５は反射光４２Ｒの受光窓である。４６はレーザー光Ｒ４３の反射光４３Ｒを受けて光のディジタル情報をディジタル方式で電気信号に変換する光電センサである。  
【００４９】
＜実施例２の作用＞
自然光光源４１から上方へ照射された自然光Ｎ４１はレンズＬ４１、射光窓Ｗ４１を通過し、右チャンネル３４にて右チャンネル音響情報を付帯され反射されて反射層３２Ｌにてさらに下方に反射され、受光窓Ｗ４４を通過して光電センサ４４に受光され、ここでアナログの電気信号Ｅ４４に変換されてアンプ（図示せず）に出力される。また、自然光光源４２から上方へ照射された自然光Ｎ４２はレンズＬ４２、射光窓Ｗ４２を通過し、左チャンネル３５にて左チャンネル音響情報を付帯され反射されて反射層３２Ｒにてさらに下方に反射され、受光窓Ｗ４５を通過して光電センサ４５に受光され、ここでアナログの電気信号Ｅ４５に変換されてアンプ（図示せず）に出力される。
【００５０】
さらに、レーザー光源４３から上方へ照射されたレーザー光Ｒ４３は、レンズＬ４３、射光兼受光窓Ｗ４３を通過してディジタル音響記録帯３６に照射される。レーザー光Ｒ４３は、ここでディジタル音響記録帯３６にランドＬＤとピットＰＴの組合せによって記録されたディジタル音響を読出し、反射光４３Ｒはディジタル音響情報を付帯されて射光兼受光窓Ｗ４３、レンズＬ４３を通過し、ビームスプリッタＢ４３により方向を水平に転換されて光電センサ４６に受光される。光電センサ４６は受光した光情報をディジタルの電気信号Ｅ４６に変換し、電気信号Ｅ４６はディジタル音響情報が付帯されたかたちでアンプ（図示せず）へ出力される。
【００５１】
なお、実施例２の場合には、ディジタル音響記録帯３６がトラッキングエラーの検出の作用も受け持つ。すなわち、ピットＰＴの底面視の幅ｗＰＴは、右チャンネル記録帯３４の底面視の幅ｗ３４、左チャンネル記録帯３５の底面視の幅ｗ３５より狭く構成されているので、読出装置４が図３で横方向にずれると、自然光Ｎ４１、Ｎ４２より先にレーザー光Ｒ４３がピットＰＴから外れ、これがトラッキングエラー検出信号となって光電センサ４６に受光される。この情報は図示しないサーボモータに送られ、自然光Ｎ４１、Ｎ４２が右チャンネル記録帯３４、左チャンネル記録帯３５を外れる前に読出装置４を制御して適正位置に戻す。このようなトラッキングエラーの検出作用は従来のコンパクトディスクのそれと同じ要領であるので、詳述は避ける。
【００５２】
このように、実施例２の光記録媒体３と読出装置４は、右チャンネル記録帯３４、左チャンネル記録帯３５に記録されたアナログ音響情報をアナログのままに読み出して出力できるほかに、ディジタル音響記録帯３６からディジタル音響情報をディジタル形式で読み出して出力できるので、聞き手がアナログ音響情報でスピーカ（図示せず）を鳴らすのかディジタル音楽情報でスピーカ（図示せず）を鳴らすのかを読出装置４の側にて選択できるようにしておけば、聞き手は両方を切り替えて楽しむことも可能である。また、場合によっては、アナログ音響情報とディジタル音響情報を適当な割合で混合して聴くことも可能となる。
【００５３】
実施例２の光記録媒体３も、記録用溝Ｔ３を有している点においては実施例１の光記録媒体１と同様であるので、光記録媒体１と同様昔のＬＰレコード風の意匠（図７ｂ）にしたり、あるいは底面３Ａと表面３Ｂの両方の側に記録用溝Ｔ３を有せしめることも当然可能である。
【実施例３】
【００５４】
＜実施例３の構成＞
本考案の実施例３の光記録媒体５は、図４に示すように、保護層５１、反射層５２、基盤層５３から構成されており、保護層５１が表面５Ｂ側に、基盤層５３が底面５Ａ側に位置する。反射層５２は保護層５１と基盤層５３の中間に挟まれた状態である。各層の材質については実施例１の光記録媒体１と同様である。なお、厚さに関しては、通常のコンパクトディスク（図示せず）程度の厚さ〜２５ｍｍ程度の厚さが適切であると考えられる。
【００５５】
反射層５２の下面には、記録帯Ｔ５が設けられている。記録帯Ｔ５は全体の底面視が螺旋状に設けられている。記録帯Ｔ５は、右チャンネル記録帯５４、左チャンネル記録帯５５、トラッキングエラー検出帯５６から構成されており、右チャンネル記録帯５４、左チャンネル記録帯５５は反射層５２の下面に反射率の低い不透明膜が塗布された状態であり、トラッキングエラー検出帯５６は反射層５２の下面の一部が底面が水平状態になるように下に凸に突出された状態である。トラッキングエラー検出帯５６は螺旋状の全延長に亘って途切れずに連続して突出形成されている。なお、トラッキングエラー検出帯５６は、保護層５１の下面自体を突出させ、そこに反射層５２を被覆するという形で形成しても無論問題はない。
【００５６】
右チャンネル記録帯５４には右チャンネルの音響情報のアナログ的変化が不透明膜の濃度変化として記録され、左チャンネル記録帯５５には左チャンネルの音響情報のアナログ的変化が不透明膜の濃度変化として記録されている。また、トラッキングエラー検出帯５６の底面視の幅ｗ５６は、右チャンネル記録帯５４の底面視の幅ｗ５４、左チャンネル記録帯５５の底面視の幅ｗ５５より狭くなるように構成されている。
【００５７】
図４の下方には、読出装置６の構成を模式的に示す。６１、６２は自然光を上方に向けて照射する自然光光源であり、６３はレーザー光線を上方に向けて照射するレーザー光源である。自然光光源６１の上方にはビームスプリッタＢ６１が、自然光光源６２の上方にはビームスプリッタＢ６２が、レーザー光源６３の上方にはビームスプリッタＢ６３が置かれている。また、Ｌ６１は自然光光源６１から照射される自然光Ｎ６１の光束を調整するレンズであり、Ｗ６１は射光兼受光窓である。Ｌ６２は自然光光源６２から照射される自然光Ｎ６２の光束を調整するレンズであり、Ｗ６２は射光兼受光窓である。Ｌ６３はレーザー光源６３から照射されるレーザー光Ｒ６３の光束を調整するレンズであり、Ｗ６３は射光兼受光窓である。
【００５８】
６４は自然光Ｎ６１の反射光６１Ｒを受けて光の明度情報をアナログ方式で電気信号に変換する光電センサであり、６５は自然光Ｎ６２の反射光６２Ｒを受けて光の明度情報をアナログ方式で電気信号に変換する光電センサであり、６６はレーザー光Ｒ６３の反射光６３Ｒを受けて光のディジタル情報をディジタル方式で電気信号に変換する光電センサである。
【００５９】
＜実施例３の作用＞
自然光光源６１から上方へ照射された自然光Ｎ６１はレンズＬ６１、射光兼受光窓Ｗ６１を通過し、右チャンネル５４にて右チャンネル音響情報を付帯され１８０°反射されて再び射光兼受光窓Ｗ６１、レンズＬ６１を通過し、ビームスプリッタＢ６１にて水平方向に方向を変換されて光電センサ６４に受光され、ここでアナログの電気信号Ｅ６４に変換されてアンプ（図示せず）に出力される。また、自然光光源６２から上方へ照射された自然光Ｎ６２はレンズＬ６２、射光兼受光窓Ｗ６２を通過し、左チャンネル５５にて左チャンネル音響情報を付帯され１８０°反射されて再び射光兼受光窓Ｗ６２、レンズＬ６２を通過し、ビームスプリッタＢ６２にて水平方向に方向を変換されて光電センサ６５に受光され、ここでアナログの電気信号Ｅ６５に変換されてアンプ（図示せず）に出力される。
【００６０】
さらに、レーザー光源６３から上方へ照射されたレーザー光Ｒ６３は、レンズＬ６３、射光兼受光窓Ｗ６３を通過してトラッキングエラー検出帯５６に照射され１８０°反転されて、反射光６３Ｒとなり、再び射光兼受光窓Ｗ６３、レンズＬ６３を通過してビームスプリッタＢ６３により水平方向に方向を変換されて光電センサ６６に受光され、ここでディジタルの電気信号Ｅ６６に変換されて読出装置６の位置を制御するサーボモータ（図示せず）に出力される。
【００６１】
トラッキングエラー検出帯５６の底面視の幅ｗ５６は、右チャンネル記録帯５４の底面視の幅ｗ５４、左チャンネル記録帯５５の底面視の幅ｗ５５より狭くなるように構成されているので、読出装置６が図４で横方向にずれると、自然光Ｎ６１、Ｎ６２より先にレーザー光Ｒ６３がトラッキングエラー検出帯５６から外れ、これがトラッキングエラー検出信号となって光電センサ６６に受光される。この情報は図示しないサーボモータに送られ、自然光Ｎ６１、Ｎ６２が右チャンネル記録帯５４、左チャンネル記録帯５５を外れる前に読出装置６を制御して適正位置に戻す。
【実施例４】
【００６２】
＜実施例４の構成＞
本考案の実施例４の光記録媒体７は、図５に示すように、保護層７１、反射層７２、基盤層７３から構成されており、保護層７１が表面７Ｂ側に、基盤層７３が底面７Ａ側に位置する。反射層７２は保護層７１と基盤層７３の中間に挟まれた状態である。各層の材質については実施例１の光記録媒体１と同様である。また、厚さに関しては、実施例３の光記録媒体５と同様である。
【００６３】
反射層７２の下面には、記録帯Ｔ７が設けられている。記録帯Ｔ７は全体の底面視が螺旋状に設けられている。記録帯Ｔ７は、右チャンネル記録帯７４、左チャンネル記録帯７５、ディジタル音響記録帯７６から構成されており、右チャンネル記録帯７４、左チャンネル記録帯７５は反射層７２の下面に反射率の低い不透明膜が塗布された状態であり、ディジタル音響記録帯７６は反射層７２の下面をランドＬＤとし、反射層７２の下面の一部が底面が水平状態になるように下に凸に突出された状態のピットＰＴを有している。ピットＰＴとランドＬＤの構成は図６に示すように通常のコンパクトディスク（図示せず）のピット、ランドの構成と同様であり、この構成によってディジタル音響情報が記録されている。なお、ピットＰＴは保護層７１自体を下方に突出させ、そこに反射層７２が塗布された状態でも無論かまわない。
【００６４】
右チャンネル記録帯７４には右チャンネルの音響情報のアナログ的変化が不透明膜の濃度変化として記録され、左チャンネル記録帯７５には左チャンネルの音響情報のアナログ的変化が不透明膜の濃度変化として記録されている。また、ディジタル情報記録帯７６のピットＰＴの底面視の幅ｗＰＴは、右チャンネル記録帯７４の底面視の幅ｗ７４、左チャンネル記録帯７５の底面視の幅ｗ７５より狭くなるように構成されている。
【００６５】
図５の下方には、読出装置８の構成を模式的に示す。８１、８２は自然光を上方に向けて照射する自然光光源であり、８３はレーザー光線を上方に向けて照射するレーザー光源である。自然光光源８１の上方にはビームスプリッタＢ８１が、自然光光源８２の上方にはビームスプリッタＢ８２が、レーザー光源８３の上方にはビームスプリッタＢ８３が置かれている。また、Ｌ８１は自然光光源８１から照射される自然光Ｎ８１の光束を調整するレンズであり、Ｗ８１は射光兼受光窓である。Ｌ８２は自然光光源８２から照射される自然光Ｎ８２の光束を調整するレンズであり、Ｗ８２は射光兼受光窓である。Ｌ８３はレーザー光源８３から照射されるレーザー光Ｒ８３の光束を調整するレンズであり、Ｗ８３は射光兼受光窓である。
【００６６】
８４は自然光Ｎ８１の反射光８１Ｒを受けて光の明度情報をアナログ方式で電気信号に変換する光電センサであり、８５は自然光Ｎ８２の反射光８２Ｒを受けて光の明度情報をアナログ方式で電気信号に変換する光電センサであり、８６はレーザー光Ｒ８３の反射光８３Ｒを受けて光のディジタル情報をディジタル方式で電気信号Ｅ８３に変換する光電センサである。
【００６７】
＜実施例４の作用＞
自然光光源８１から上方へ照射された自然光Ｎ８１はレンズＬ８１、射光兼受光窓Ｗ８１を通過し、右チャンネル記録帯７４にて右チャンネル音響情報を付帯され１８０°反射されて再び射光兼受光窓Ｗ８１、レンズＬ８１を通過し、ビームスプリッタＢ８１にて水平方向に方向を変換されて光電センサ８４に受光され、ここでアナログの電気信号Ｅ８４に変換されてアンプ（図示せず）に出力される。また、自然光光源８２から上方へ照射された自然光Ｎ８２はレンズＬ８２、射光兼受光窓Ｗ８２を通過し、左チャンネル記録帯７５にて左チャンネル音響情報を付帯され１８０°反射されて再び射光兼受光窓Ｗ８２、レンズＬ８２を通過し、ビームスプリッタＢ８２にて水平方向に方向を変換されて光電センサ８５に受光され、ここでアナログの電気信号Ｅ８５に変換されてアンプ（図示せず）に出力される。
【００６８】
さらに、レーザー光源８３から上方へ照射されたレーザー光Ｒ８３は、レンズＬ８３、射光兼受光窓Ｗ８３を通過してディジタル情報記録帯７６に照射されディジタル音響情報を読出し、１８０°反転されて、反射光８３Ｒとなり、再び射光兼受光窓Ｗ８３、レンズＬ８３を通過してビームスプリッタＢ８３により水平方向に方向を変換されて光電センサ８６に受光され、ここでディジタルの電気信号Ｅ８６に変換されて、アンプ（図示せず）、読出装置８の位置を制御するサーボモータ（図示せず）に出力される。アナログ音響情報は電気信号Ｅ８４、Ｅ８５にて出力され、ディジタル音響情報は電気信号Ｅ８６にて出力される。
【００６９】
ディジタル音響記録帯７６のピットＰＴの底面視の幅ｗＰＴは、右チャンネル記録帯７４の底面視の幅ｗ７４、左チャンネル記録帯７５の底面視の幅ｗ７５より狭くなるように構成されているので、読出装置８が図５で横方向にずれると、自然光Ｎ８１、Ｎ８２より先にレーザー光Ｒ８３がピットＰＴから外れ、これがトラッキングエラー検出信号となって光電センサ８６に受光される。この情報は電気信号８６により図示しないサーボモータに送られ、自然光Ｎ８１、Ｎ８２が右チャンネル記録帯７４、左チャンネル記録帯７５を外れる前に読出装置を制御して適正位置に戻す。
【００７０】
実施例４の光記録媒体７及び読出装置８は、アナログ音響情報とディジタル音響情報の両方を出力できるので、実施例２の光記録媒体３及び読出装置４同様、両方の情報を適宜選択し、あるいは好みの割合に混交して聴くことが可能となる。
【産業上の利用可能性】
【００７１】
本考案の光記録媒体及び読出装置は、非接触であるにもかかわらずＬＰレコード同様のアナログ音響情報を記録し、読み出すことのできる全く新しい記録媒体及び読出装置であって、ディジタル音響情報ゆえの情報の欠落や改変に対して根強い不信感を抱いていた人々にも、大きな安心感を与える記録媒体及び読出装置となり得るものである。しかも、非接触で取扱いも簡便であるというコンパクトディスクやＤＶＤディスクの特徴もそのまま有しており、今までに全くなかった記録媒体及び読出装置として、大きな需要が期待されるものである。
【００７２】
あるいはまた、記録用溝を有する本考案の光記録媒体においては、盤面に記録用溝が視認されるように構成することもできるので、外見を昔のＬＰレコードに似せて製作することも可能であり、この点においても、昔のＬＰレコードに根強い愛着を抱いている一部の人々に、今までに全くなかったメディアとして強くアピールしていくことが期待されるものである。
【符号の説明】
【００７３】
１            光記録媒体
１１          保護層
１２          反射層
１２Ｒ        反射層
１２Ｌ        反射層
１３          基盤層
１４          右チャンネル記録帯
１５          左チャンネル記録帯
１６          トラッキングエラー検出帯
１Ａ          底面
１Ｂ          表面
２            読出装置
２１          自然光光源
２１Ｒ        戻り光
２２          自然光光源
２２Ｒ        戻り光
２３          レーザー光源
２３Ｒ        戻り光
２４          光電センサ
２５          光電センサ
３            光記録媒体
３１          保護層
３２          反射層
３２Ｒ        反射層
３２Ｌ        反射層
３３          基盤層
３４          右チャンネル記録帯
３５          左チャンネル記録帯
３６          ディジタル音響記録帯
３Ａ          底面
３Ｂ          表面
４１          自然光光源
４１Ｒ        戻り光
４２          自然光光源
４２Ｒ        戻り光
４３          レーザー光源
４３          戻り光
４４          光電センサ
４５          光電センサ
４６          光電センサ
５            光記録媒体
５１          保護層
５２          反射層
５３          基盤層
５４          右チャンネル記録帯
５５          左チャンネル記録帯
５６          トラッキングエラー検出帯
５Ａ          底面
５Ｂ          表面
６            読出装置
６１          自然光光源
６１Ｒ        戻り光
６２          自然光光源
６２Ｒ        戻り光
６３          レーザー光源
６３Ｒ        戻り光
６４          光電センサ
６５          光電センサ
６６          光電センサ
７            光記録媒体
７１          保護層
７２          反射層
７３          基盤層
７４          右チャンネル記録帯
７５          左チャンネル記録帯
７６          ディジタル音響記録帯
７Ａ          底面
７Ｂ          表面
８            読出装置
８１          自然光光源
８１Ｒ        戻り光
８２          自然光光源
８２Ｒ        戻り光
８３          レーザー光源
８３Ｒ        戻り光
８４          光電センサ
８５          光電センサ
８６          光電センサ
Ａ            線方向
Ｂ２３        ビームスプリッタ
Ｂ４３        ビームスプリッタ
Ｂ６１        ビームスプリッタ
Ｂ６２        ビームスプリッタ
Ｂ６３        ビームスプリッタ
Ｂ８１        ビームスプリッタ
Ｂ８２        ビームスプリッタ
Ｂ８３        ビームスプリッタ
Ｃ            中心部分
Ｅ２４        電気信号
Ｅ２５        電気信号
Ｅ２６        電気信号
Ｅ４４        電気信号
Ｅ４５        電気信号
Ｅ４６        電気信号
Ｅ６４        電気信号
Ｅ６５        電気信号
Ｅ６６        電気信号
Ｅ８４        電気信号
Ｅ８５        電気信号
Ｅ８６        電気信号
Ｌ２１        レンズ
Ｌ２２        レンズ
Ｌ２３        レンズ
Ｌ４１        レンズ
Ｌ４２        レンズ
Ｌ４３        レンズ
Ｌ６１        レンズ
Ｌ６２        レンズ
Ｌ６３        レンズ
Ｌ８１        レンズ
Ｌ８２        レンズ
Ｌ８３        レンズ
ＬＢ          レーベル
ＬＤ          ランド
Ｎ２１        自然光
Ｎ２２        自然光
Ｎ４１        自然光
Ｎ４２        自然光
Ｎ６１        自然光
Ｎ６２        自然光
Ｐ１          ポイント
Ｐ２          ポイント
ＰＴ          ピット
Ｒ２３        レーザー光
Ｒ４３        レーザー光
Ｒ６３        レーザー光
Ｔ１          記録用溝
Ｔ１Ｒ        右側壁
Ｔ１Ｌ        左側壁
Ｔ３          記録用溝
Ｔ３Ｒ        右側壁
Ｔ３Ｌ        左側壁
Ｔ５          記録帯
Ｔ７          記録帯
Ｗ２１        射光窓
Ｗ２２        射光窓
Ｗ２３        射光兼受光窓
Ｗ２４        受光窓
Ｗ２５        受光窓
Ｗ４１        射光窓
Ｗ４２        射光窓
Ｗ４３        射光兼受光窓
Ｗ４４        受光窓
Ｗ４５        受光窓
Ｗ６１        射光兼受光窓
Ｗ６２        射光兼受光窓
Ｗ６３        射光兼受光窓
Ｗ８１        射光兼受光窓
Ｗ８２        射光兼受光窓
Ｗ８３        射光兼受光窓
ｗ１４        幅
ｗ１５        幅
ｗ１６        幅
ｗ３４        幅
ｗ３５        幅
ｗ５４        幅
ｗ５５        幅
ｗ５６        幅
ｗ７４        幅
ｗ７５        幅
ｗＰＴ        幅
【図１】
0003173026.tif 000003
【図３】
0003173026.tif 000004
【図４】
0003173026.tif 000005
【図５】
0003173026.tif 000006
【図７】
0003173026.tif 000007
【図２】
0003173026.tif 000008
【図６】
0003173026.tif 000009